(57)【要約】【課題】本発明は、着信履歴をもとに電話番号を発信する端末装置および発信制御プログラムに関し、悪意の発信元へのコールバックを抑止することを第１の目的、コールバック時の発信元識別を容易に行なうことを第２の目的、および第１の目的と第２の目的を共に解決することを第３の目的としている。【解決手段】所定時間以下の着信に異常フラグを設定した着信履歴を記憶する手段と、着信履歴を表示する手段と、表示された電話番号への発信を検出する手段と、発信が検出された電話番号について、着信履歴を参照して異常フラグが設定されていたときに、発信の確認を表示した問合せ画面を表示する手段とを備える。【選択図】　図１
2004112418.tif 000002
【特許請求の範囲】
【請求項１】
着信履歴をもとに電話番号を発信する端末装置において、
所定時間以下の着信に異常フラグを設定した着信履歴を記憶する手段と、
前記着信履歴を表示する手段と、
前記表示された電話番号への発信を検出する手段と、
前記発信が検出された電話番号について、前記着信履歴を参照して異常フラグが設定されていたときに、発信の確認を表示した問合せ画面を表示する手段と
を備えたことを特徴とする端末装置。
【請求項２】
着信履歴をもとに電話番号を発信する端末装置において、
所定時間以下の着信に異常フラグを設定した着信履歴を記憶する手段と、
前記着信履歴を表示する手段と、
前記表示された電話番号への発信を検出する手段と、
前記発信が検出された電話番号について、電話帳を参照して登録されていなかったときに、発信の確認を表示した問合せ画面を表示する手段と
を備えたことを特徴とする端末装置。
【請求項３】
着信履歴をもとに電話番号を発信する端末装置に、
所定時間以下の着信に異常フラグを設定した着信履歴を記憶する手段と、
前記着信履歴を表示する手段と、
前記表示された電話番号への発信を検出する手段と、
前記発信が検出された電話番号について、前記着信履歴を参照して異常フラグが設定されていたときに、発信の確認を表示した問合せ画面を表示する手段と
して機能させるための発信制御プログラム。
【発明の詳細な説明】
【０００１】
【発明の属する技術分野】
本発明は、着信履歴をもとに電話番号を発信する端末装置および発信制御プログラムに関するものである。
【０００２】
本発明における端末装置とは、例えば携帯電話機、ＰＨＳ（Ｐｅｒｓｏｎａｌ　Ｈａｎｄｙｐｈｏｎｅ　Ｓｙｓｔｅｍ）、パーソナルコンピュータ、ＰＤＡ（Ｐｅｒｓｏｎａｌ　Ｄｉｇｉｔａｌ　Ａｓｓｉｓｔａｎｔ）、宅内電話機、そのたの公衆電話機等に代表される着信履歴が表示可能かつその着信履歴に表示された電話番号にコールバック可能な端末装置を指し、携帯タイプであるのか、非携帯タイプであるのかは問わない。尚、端末装置の１例として携帯電話機を例にする。
【０００３】
【従来の技術】
従来、携帯電話機に着信があり、不在の（出ることができない）場合、着信した相手の電話番号と時刻および３秒以下の切断をチェックし、短時間不在着信、いわゆるワン切りとして着信履歴に保存し、着信履歴を表示させたときに、着信した相手の電話番号と時刻および短時間不在着信、いわゆるワン切りのときは短時間不在着信（いわゆるワン切り）を示す特定アイコンを表示するようにしていた（非特許文献１参照）。
【０００４】
【非特許文献１】
ａｕ　ｂｙ　ＫＤＤＩ（登録商標）、発行元（ＫＤＤＩ株式会社）、カタログ（２００２年９月現在の関東のもの（Ｂ１５９−０２／０９−９５９））のｐ．１８
【０００５】
【発明が解決しようとする課題】
このため、３秒以下の不在着信を全てワン切りとして着信履歴を表示していたため、たとえ電話帳に登録されていない友人であっても電話してから３秒以下で切断してしまうとワン切りアイコンが着信履歴に表示されてしまい、悪意の発信元からの着信か、あるいは友人からの着信かを区別できないという問題があった。
【０００６】
また、着信履歴を表示してその中からワン切りアイコンの表示されている電話番号に発信するときに、悪意の発信元へのコールバックなのか、電話帳に登録されていない人へのコールバックなのかが不明だった。よってコールバック前に発信元が誰であるかを確認する操作が必要となり、使い勝手が悪かった。その確認操作とは、発信者番号非通知機能の特別な番号を自分で相手先電話番号に付与してから、電話をかけるというものであり、非常に使い勝手が悪かった。
【０００７】
本発明は、悪意の発信元へのコールバックを抑止することを第１の目的としている。
【０００８】
また、本発明は、コールバック時の発信元識別を容易に行なうことを第２の目的としている。
【０００９】
また、第１の目的と第２の目的を共に解決することを第３の目的としている。
【００１０】
【課題を解決するための手段】
図１を参照して課題を解決するための手段を説明する。
【００１１】
図１において、処理装置４は、プログラムに従い各種処理を実行するものであって、ここでは、着信制御部５、タイマ制御部６、表示制御部８、発信制御部９などから構成されるものである。
【００１２】
着信制御部５は、着信を検出したり、着信した電話番号、時刻、着信時間などを着信履歴１４に登録したりなどするものである。
【００１３】
タイマ制御部６は、呼出時間などを計測するものである。
表示制御部８は、表示部１６に着信情報、着信履歴１４に異常フラグが設定されていたときに発信の確認を表示する問合せ画面などを表示するものである。
【００１４】
発信制御部９は、着信情報に表示された電話番号にコールバックしたりなどするものである。
【００１５】
アドレス帳１３は、電話番号などを登録したものである。
着信履歴１４は、着信した電話番号、時間、呼出時間、異常フラグなどを記憶するものである。
【００１６】
次に、動作を説明する。
処理装置４を構成する着信制御部５が着信時にタイマ制御部６に指示して計測させて所定時間以下の着信と判明したときに電話番号、時間、呼出時間、および異常フラグを着信履歴１４に記憶させ、表示制御部８が着信履歴１４を表示し、発信制御部９が表示された電話番号への発信を検出すると、検出された電話番号について、着信履歴１４を参照して異常フラグが設定されていたときに、発信の確認を表示した問合せ画面を表示させるようにしている。
【００１７】
また、着信制御部５が着信時にタイマ制御部６に指示して計測させて所定時間以下の着信と判明したときに電話番号、時間、呼出時間、および異常フラグを着信履歴１４に記憶させ、表示制御部８が着信履歴１４を表示し、発信制御部９が表示された電話番号への発信を検出すると、検出された電話番号について、電話帳１３を参照して登録されていなかったときに、発信の確認を表示した問合せ画面を表示させるようにしている。
【００１８】
【発明の実施の形態】
次に、図１から図８用いて本発明の実施の形態および動作を順次詳細に説明する。
【００１９】
図１は、本発明の携帯電話機の構成図を示す。
図１において、携帯電話機１は、無線送受信部２、アンテナ３、処理装置４、タイマ１１、メモリ１２、表示部１６などから構成されるものである。
【００２０】
無線送受信部２は、無線で図示外の基地局との間で送受信するものである。
アンテナ３は、電波を送信したり、受信したりするものである。
【００２１】
処理装置４は、プログラムに従い各種処理を実行するものであって、ここでは、着信制御部５、タイマ制御部６、メモリ制御部７、表示制御部８、発信制御部９、入出力制御部１０などから構成されるものである。
【００２２】
着信制御部５は、着信を検出したり、着信した電話番号、時刻、着信時間、異常フラグなどを着信履歴１４に登録したりなどするものである。異常フラグが登録されることで、警告アイコンが着信履歴１４に表示される。
【００２３】
タイマ制御部６は、呼出時間などを計測するものである。
メモリ制御部７は、不揮発性のメモリ１２に各種データを書き込んだり、読み出したりなどするものである。
【００２４】
表示制御部８は、表示部１６に着信情報、着信一覧、着信履歴１４に異常フラグが設定されていたとき、あるいはアドレス帳（電話帳）１３に登録されていないときに、発信の確認を表示した問合せ画面などを表示するものである。尚、問合せ画面には、番号表示、番号非表示、中止の情報が表示される。
【００２５】
発信制御部９は、着信一覧を表示し、選択された電話番号にコールバックしたりなどするものであって、ここでは、着信履歴１４に異常フラグが設定されていたときあるいはアドレス帳（電話帳）１３に登録されてないときに表示される問合せ確認画面から選択された番号表示、番号非表示、中止のいずれかに基づいて処理を実行するものである（図２から図４を用いて後述する）。
【００２６】
アドレス帳（電話帳）１３は、電話番号などを登録したものである（図５参照）。
【００２７】
着信履歴１４は、着信した電話番号、時間、呼出時間、異常フラグなどを記憶するものである（図４参照）。
【００２８】
発信履歴１５は、発信した電話番号、時間、発信時間などを記憶するものである。
【００２９】
表示部１６は、着信履歴一覧などを表示するものであって、例えば携帯電話機１に設けた液晶パネルである。
【００３０】
次に、図２のフローチャートの順番に従い、図１の構成のもとで着信時の動作を詳細に説明する。
【００３１】
図２は、本発明の動作説明フローチャート（着信）を示す。
図２において、Ｓ１は、着信検出か判別する。これは、図１の処理装置４を構成する着信検出部５が無線送受信部２から着信信号（呼出信号）を通知されたか判別する。ＹＥＳの場合には、Ｓ２に進む。ＮＯの場合には、Ｓ１を繰り返して待機する。
【００３２】
Ｓ２は、番号表示する。これは、Ｓ１のＹＥＳで着信検出されたので、着信した電話番号（発信元の電話番号）を表示部１６に表示する（図８の（ａ）参照）。
【００３３】
Ｓ３は、カウント開始する。これは、着信検出されたので、呼出時間のカウントを開始する。
【００３４】
Ｓ４は、電話帳に登録有りか判別する。これは、Ｓ２で番号表示した電話番号が電話帳（アドレス帳）１３に登録有りか判別する。ＹＥＳの場合には、Ｓ５で登録情報（登録されている電話番号、氏名など）を表示し、Ｓ７に進む。ＮＯの場合には、Ｓ６で電話番号を表示し、Ｓ７に進む。
【００３５】
Ｓ７は、切断か判別する。ＹＥＳの場合には、Ｓ８でカウント終了、即ち、呼出時間のカウント（計測）を終了し、Ｓ９に進む。一方、ＮＯの場合には、Ｓ７を繰り返し待機する。
【００３６】
Ｓ９は、一定時間以下か判別する。これは、Ｓ８でカウント終了した呼出時間が一定時間以下（例えば２秒以下）か判別する。ＹＥＳの場合には、Ｓ１０で異常着信（即ち、ワン切り着信などの異常着信）と判明したので、Ｓ１１で異常登録（後述する図４の着信履歴１４の異常フラグを１にセット）し、終了する。一方、Ｓ９のＮＯの場合には、呼出時間が一定時間以下でないと判明したので、Ｓ１２で正常着信と判断し、Ｓ１３で正常登録（後述する図４の着信履歴１４の異常フラグを０にセット）し、終了する。
【００３７】
以上によって、着信があったときに、着信番号を表示部１６に表示すると共に呼出時間をカウントして一定時間以下のときに異常着信として着信履歴１４の異常フラグを１にセットし、一方、一定時間以下でないときに正常着信として着信履歴１４の異常フラグを０にセットすることにより、着信時にワン切りなどの異常着信を着信履歴１４に登録することが可能となる。
【００３８】
図３は、本発明の動作説明フローチャート（着信２）を示す。これは、２回目以降のワン切りなどの異常着信時に、警告アイコンを表示部１６に表示するものである。
【００３９】
図３において、Ｓ２１は、着信検出か検出する。ＹＥＳの場合には、Ｓ２２に進む。ＮＯの場合には、待機する。
【００４０】
Ｓ２２は、番号検出する。これは、Ｓ２１のＹＥＳで着信が検出されたので、当該着信時に通知された電話番号を検出する。
【００４１】
Ｓ２３は、異常登録済みか判別する。これは、着信した電話番号が、着信履歴１４を検索して異常フラグが１として既に登録されているか判別する。ＹＥＳの場合には、Ｓ２４で警告アイコンを表示する。ＮＯの場合には、既述した図２のＳ２以降に進む。
【００４２】
以上によって、着信時に検出された電話番号が着信履歴１４に既に登録されており、かつ異常フラグが１と設定されていたときに、表示部１６に着信した電話番号、更に、警告フラグを表示することにより、以前にワン切りなどで異常フラグが設定されている電話番号には即時にワン切りなどの異常着信の可能性が高い旨の警告アイコンを表示し、利用者に知らせる（警告する）ことが可能となる。
【００４３】
図４は、本発明の着信履歴例を示す。着信履歴１４は、ここでは、図示の下記の情報を対応づけて、図１の不揮発性のメモリ１２に登録（記憶）するものである。
【００４４】
・シーケンシャル番号：
・電話番号：
・名前：
・日時：
・呼出時間（秒）：
・不在フラグ：
・異常フラグ：
・異常回数：
・その他：
ここで、シーケンシャル番号は着信履歴１４を管理するシーケンシャルな番号である。電話番号は着信時に検出した発信元の電話番号である。名前は当該電話番号の人の名前である。日時は着信を検出したときの年、月、日、時、分、秒である。呼出時間（秒）は着信して呼び出し、発信元が切断する迄の時間（秒）である。不在フラグは着信をフックオフしなかったときに不在として１にセットするものである。異常フラグは呼出時間が一定時間以下（例えば３秒（ワン切り）、６秒（ツー切り）などの予め実験で求めて設定、あるいはユーザが設定した一定時間以下）の場合に、１にセットするものである。異常回数は着信が一定時間以下で検出された回数である。
【００４５】
以上のように、着信した電話番号、日時、呼出時間、異常フラグ、異常回数を着信履歴として不揮発性メモリ１２に記憶することにより、発信時に後述する図６、図７に示すように、ワン切りなどの異常着信の場合に問合せ画面を自動的に表示させ、着信時に短時間に切断された電話番号へのコールバック操作を簡易かつ悪意の発信元への発信を抑止することが可能となる。
【００４６】
図５は、本発明のアドレス帳（電話帳）例を示す。アドレス帳１３は、ここでは、図示の下記の情報を対応づけて登録（記憶）したものである。
【００４７】
・シーケンシャル番号：
・グループ：
・名前：
・フリガナ：
・電話番号：
・メールアドレス：
・その他：
ここで、シーケンシャル番号はアドレス帳１３を管理するシーケンシャルな番号である。グループは電話番号、名前を任意のグループに分けるものである。フリガナは電話番号の所有者の名前のフリガナである。
【００４８】
図６は、本発明の動作説明フローチャート（コールバック▲１▼）を示す。
図６において、Ｓ３１は、着履有りか判別する。これは、利用者が着信履歴から電話番号を選択して発信しようとし、着信履歴の表示操作を行ったときに、既述した図４の着信履歴１４に着信した電話番号が登録されているか判別する。ＹＥＳの場合には、Ｓ３２で着履（着信履歴）の一覧を表示し、Ｓ３３に進む。一方、Ｓ３１のＮＯの場合には、着信履歴１４に電話番号が登録されていないと判明したので、ここでは、終了する。
【００４９】
Ｓ３３は、リダイヤルか判別する。これは、Ｓ３２で表示した着信履歴の一覧からいずれかの電話番号を選択してリダイヤルの指示が利用者から入力されたか判別する。ＹＥＳの場合には、Ｓ３４に進む。ＮＯの場合には、ここでは、終了する。
【００５０】
Ｓ３４は、発信ボタンを押下する。
Ｓ３５は、異常フラグ有りか判別する。これは、Ｓ３４で発信ボタンが押下されて、着信履歴１４の一覧中から選択されて発信指示のあった電話番号の異常フラグが１にセット（着信時の呼出時間が一定時間以下で異常着信）されているか判別する。ＹＥＳの場合には、Ｓ３６に進む。ＮＯの場合には、Ｓ４２で発信し、相手先と通話などする。
【００５１】
Ｓ３６は、Ｓ３５のＹＥＳで異常フラグが１にセットされていると判明したので、発信問合せ画面を表示し、異常着信の旨を警告する。例えば後述する図８の（ｂ−１）、（ｂ−２）の発信問合せ画面を表示して警告する。
【００５２】
Ｓ３７は、１８６発信か判別する。これは、１８６（番号表示、番号通知）による発信が利用者により後述する図８の（ｃ−１）の発信問合せ画面上で選択されたか判別する。ＹＥＳの場合には、Ｓ３８で１８６付与、即ち発信しようとする電話番号の先頭に１８６を付与し、Ｓ４２で発信する。一方、ＮＯの場合には、Ｓ３９に進む。
【００５３】
Ｓ３９は、１８４発信か判別する。これは、１８４（番号非表示、番号非通知）による発信が利用者により後述する図８の（ｃ−１）の発信問合せ画面上で選択されたか判別する。ＹＥＳの場合には、Ｓ４０で１８４付与、即ち発信しようとする電話番号の先頭に１８４を付与し、Ｓ４２で発信する。一方、ＮＯの場合には、Ｓ４１に進む。
【００５４】
Ｓ４１は、中止する。これは、後述する図８の（ｃ−１）の発信問合せ画面上で”発信しない”が選択されたので、発信を中止する。
【００５５】
以上のように、着信履歴１４の一覧を表示してその中の１つの電話番号を選択してリダイヤル（コールバック）する場合に、異常フラグが設定（着信時の呼出時間が一定時間以下の異常着信）とされていたときには自動的に後述する図８の（ｃ−１）の発信問合せ画面を表示し、利用者に、番号表示発信（１８６），番号非表示発信（１８４）あるいは中止のいずれかを選択させて発信することにより、着信時に短時間に切断された電話番号へのコールバック操作を簡易かつ悪意の発信元への発信を抑止することが可能となる。
【００５６】
図７は、本発明の動作説明フローチャート（コールバック▲２▼）を示す。
図７において、Ｓ５１は、着履有りか判別する。これは、利用者が着信履歴から電話番号を選択して発信しようとし、着信履歴の表示操作を行ったときに、既述した図４の着信履歴１４に着信した電話番号が登録されているか判別する。ＹＥＳの場合には、Ｓ５２で着履（着信履歴）の一覧を表示し、Ｓ５３に進む。一方、Ｓ５１のＮＯの場合には、着信履歴１４に電話番号が登録されていないと判明したので、ここでは、終了する。
【００５７】
Ｓ５３は、リダイヤルか判別する。これは、Ｓ５２で表示した着信履歴の一覧からいずれかの電話番号を選択してリダイヤルの指示が利用者が入力されたか判別する。ＹＥＳの場合には、Ｓ５４に進む。ＮＯの場合には、ここでは、終了する。
【００５８】
Ｓ５４は、発信ボタンを押下する。
Ｓ５５は、電話帳に有りか判別する。これは、Ｓ５４で発信ボタンが押下されて、着信履歴１４の一覧中から選択されて発信指示のあった電話番号が既述した図５の電話帳（アドレス帳）１３に登録されているか判別する。ＹＥＳの場合には、Ｓ５６に進む。ＮＯの場合には、Ｓ６２で発信し、相手先と通話などする。
【００５９】
Ｓ５６は、Ｓ５５のＹＥＳで電話帳に登録されていない電話番号、即ち初めての人、会社などの電話番号と判明したので、発信問合せ画面を表示し、警告する。例えば後述する図８の（ｂ−２）の発信問合せ画面を表示して警告する。
【００６０】
Ｓ５７は、１８６発信か判別する。これは、１８６（番号表示、番号通知）による発信が利用者により後述する図８の（ｃ−２）の発信問合せ画面上で選択されたか判別する。ＹＥＳの場合には、Ｓ５８で１８６付与、即ち発信しようとする電話番号の先頭に１８６を付与し、Ｓ４２で発信する。一方、ＮＯの場合には、Ｓ５９に進む。
【００６１】
Ｓ５９は、１８４発信か判別する。これは、１８４（番号非表示、番号非通知）による発信が利用者により後述する図８の（ｃ−２）の発信問合せ画面上で選択されたか判別する。ＹＥＳの場合には、Ｓ６０で１８４付与、即ち発信しようとする電話番号の先頭に１８４を付与し、Ｓ６２で発信する。一方、ＮＯの場合には、Ｓ６１に進む。
【００６２】
Ｓ６１は、中止する。これは、後述する図８の（ｃ−２）の発信問合せ画面上で”発信しない”が選択されたので、発信を中止する。
【００６３】
以上のように、着信履歴１４の一覧を表示してその中の１つの電話番号を選択してリダイヤル（コールバック）する場合に、電話帳（アドレス帳）１３に登録されていたときには自動的に後述する図８の（ｃ−２）の発信問合せ画面を表示し、利用者に、番号表示発信（１８６），番号非表示発信（１８４）あるいは中止のいずれかを選択させて発信することにより、着信した電話番号へのコールバック操作を簡易かつ悪意の発信元への発信かを確認することが可能となる。
【００６４】
図８は、本発明の画面レイアウト例を示す。
図８の（ａ）は、着信表示時のレイアウト例を示す。
【００６５】
図８の（ａ−１）は８行８文字の場合のレイアウト例を示し、図８の（ａ−２）は６行６文字の場合のレイアウト例を示す。ここでは、図示の下記の情報を画面上にレイアウトして表示する。
【００６６】
・圏内／圏外：
・不在着信と、不在、伝言メモ、あるいは警告アイコンのいずれか：、
・着信日時：
・呼出時間：
・着信電話番号：
・その他：
ここでは、”不在着信”の文字と、不在、伝言メモあるいは警告アイコン（一定時間以下の呼出時間のとき）のうちの該当するものを表示する。着信日時は着信した日時を表示する。呼出時間は着信してから当該呼出が切断されるまでの時間を表示する。着信電話番号は着信した電話番号を表示する。
【００６７】
図８の（ｂ）は、着履表示１４の例を示す。
図８の（ｂ−１）は、着信時の呼出時間が０１秒で一定時間以下の異常フラグが１のときの表示例を示す。ここでは、不在着信のレコードの右端に”危”という警告マークを表示、およびその下段に呼出時間が０１秒である旨を表示している。
【００６８】
図８の（ｂ−２）は、着信時の呼出時間が１０秒で一定時間以下でなく異常フラグが０のときの表示例を示す。ここでは、不在着信のレコードの右端に”危”という警告マークを非表示、およびその下段に呼出時間が１０秒である旨を表示している。
【００６９】
図８の（ｃ）は、発信問合せ画面の例を示す。
図８の（ｃ−１）は、コールバック▲１▼のときの発信問合せ画面を示す。ここでは、図８の（ｂ−１）の着履表示の画面上で、”危”という警告マークが表示されており、着信履歴１４の該当電話番号には異常フラグが１となっており、当該画面が表示された状態で、利用者が図示外の発信ボタンを押下すると、コールバック▲１▼（異常フラグが１の電話番号に発信するコールバック）の処理として、既述した図６のフローチャートでＳ３５のＹＥＳとなり、Ｓ３６の発信問合せ画面が図８の（ｃ−１）のように表示される。この図８の（ｃ−１）の発信問合せ画面上で
・１８６発信
・１８４発信
・発信しない
のいずれかを利用者が選択すると、既述した図６のＳ３７からＳ４２の該当処理が実行される。
【００７０】
以上のように、着履履歴１４の一覧から警告マークの表示された電話番号を選択して発信ボタンを押下すると、自動的に図８の（ｃ−１）の発信問合せ画面を表示し、利用者に適切な発信（番号表示発信、番号非表示発信）あるいは中止することが可能となる。
【００７１】
図８の（ｃ−２）は、コールバック▲２▼のときの発信問合せ画面を示す。ここでは、図８の（ｂ−２）の着履表示の画面上で、”危”という警告マークが表示されていなく、着信履歴１４の該当電話番号には異常フラグが０となっており、当該画面が表示された状態で、利用者が図示外の発信ボタンを押下すると、コールバック▲２▼（異常フラグが０で電話帳に登録されていないコールバック）の処理として、既述した図７のフローチャートでＳ５５のＹＥＳとなり、Ｓ５６の発信問合せ画面が図８の（ｃ−２）のように表示される。この図８の（ｃ−２）の発信問合せ画面上で
・１８６発信
・１８４発信
・発信しない
のいずれかを利用者が選択すると、既述した図７のＳ５７からＳ６２の該当処理が実行される。
【００７２】
以上のように、着履履歴１４の一覧から警告マークの表示されていない電話番号を選択して発信ボタンを押下すると、電話帳に登録されていない場合には自動的に図８の（ｃ−２）の発信問合せ画面を表示し、利用者に適切な発信（番号表示発信、番号非表示発信）あるいは中止することが可能となる。
【００７３】
（付記１）
着信履歴をもとに電話番号を発信する端末装置において、
所定時間以下の着信に異常フラグを設定した着信履歴を記憶する手段と、
前記着信履歴を表示する手段と、
前記表示された電話番号への発信を検出する手段と、
前記発信が検出された電話番号について、前記着信履歴を参照して異常フラグが設定されていたときに、発信の確認を表示した問合せ画面を表示する手段と
を備えたことを特徴とする端末装置。
【００７４】
（付記２）
着信履歴をもとに電話番号を発信する端末装置において、
所定時間以下の着信に異常フラグを設定した着信履歴を記憶する手段と、
前記着信履歴を表示する手段と、
前記表示された電話番号への発信を検出する手段と、
前記発信が検出された電話番号について、電話帳を参照して登録されていなかったときに、発信の確認を表示した問合せ画面を表示する手段と
を備えたことを特徴とする端末装置。
【００７５】
（付記３）
着信時に検出した電話番号が前記着信履歴に記憶されていたときは、警告アイコンを表示することを特徴とする付記１あるいは付記２記載の端末装置。
【００７６】
（付記４）
着信履歴をもとに電話番号を発信する端末装置に、
所定時間以下の着信に異常フラグを設定した着信履歴を記憶する手段と、
前記着信履歴を表示する手段と、
前記表示された電話番号への発信を検出する手段と、
前記発信が検出された電話番号について、前記着信履歴を参照して異常フラグが設定されていたときに、発信の確認を表示した問合せ画面を表示する手段と
して機能させるための発信制御プログラム。
【００７７】
（付記５）
着信履歴をもとに電話番号を発信する端末装置に、
所定時間以下の着信に異常フラグを設定した着信履歴を記憶する手段と、
前記着信履歴を表示する手段と、
前記表示された電話番号への発信を検出する手段と、
前記発信が検出された電話番号について、電話帳を参照して登録されていなかったときに、発信の確認を表示した問合せ画面を表示する手段と
して機能させるための発信制御プログラム。
【００７８】
【発明の効果】
以上説明したように、本発明によれば、着信時に所定時間以下で切断されたときに着信履歴１４に異常フラグを設定し、着信履歴一覧を表示してその中から選択された電話番号に発信するときに異常フラグが設定されていたときあるいは電話帳１３に登録されていないときに発信問合せ画面を表示して番号表示、番号非表示、発信中止を選択させてコールバックあるいは発信中止する構成を採用しているため、着信時に短時間に切断された電話番号へのコールバック操作を簡易かつ悪意の発信元への発信を抑止することが可能となる。
【００７９】
電話帳に登録されていない電話番号へのコールバック時にも自動的に発信問合せ画面を表示して電話帳に登録されていない旨を知らせて確認させて悪意の発信元への発信を抑止することが可能となる。
【図面の簡単な説明】
【図１】本発明の携帯電話機の構成図である。
【図２】本発明の動作説明フローチャート（着信）である。
【図３】本発明の動作説明フローチャート（着信２）である。
【図４】本発明の着信履歴例である。
【図５】本発明のアドレス帳（電話帳）例である。
【図６】本発明の動作説明フローチャート（コールバック▲１▼）である。
【図７】本発明の動作説明フローチャート（コールバック▲２▼）である。
【図８】本発明の画面レイアウト例である。
【符号の説明】
１：携帯電話機
２：無線送受信部
３：アンテナ
４：処理装置
５：着信制御部
６：タイマ制御部
７：メモリ制御部
８：表示制御部
９：発信制御部
１０：入出力制御部
１１：タイマ
１２：メモリ（不揮発性）
１３：アドレス帳（電話帳）
１４：着信履歴
１５：発信履歴
１６：表示部
【図１】
2004112418.tif 000003
【図２】
2004112418.tif 000004
【図３】
2004112418.tif 000005
【図４】
2004112418.tif 000006
【図５】
2004112418.tif 000007
【図６】
2004112418.tif 000008
【図７】
2004112418.tif 000009
【図８】
2004112418.tif 000010